【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
ロール上の製品がその機械方向に沿って複数のユニットに分離され、それによって一連の引っ張り動作が分配イベントを構成したロールから引かれた製品の使用パラメータを追跡する方法であって、
（ａ）スピンドル装置内の回転部材の回転に関連し、該回転部材の回転の度合に比例する値を表すデータを取得する段階と、
（ｂ）前記データを受信して処理することができる第１のマイクロプロセッサを準備する段階と、
（ｃ）ｉ）１イベント当たりのユニット数、
ｉｉ）１イベント当たりの引っ張り動作数、
ｉｉｉ）１ロール当たりの引っ張り動作数、
ｉｖ）１日当たりのユニット数、
ｖ）１日当たりのイベント数、
ｖｉ）日時（１時間）当たりのイベントの頻度、
ｖｉｉ）日時当たりのユニット数の頻度、
ｖｉｉｉ）１時間当たりのユニット数、
ｉｘ）引っ張り動作間の時間間隔、
ｘ）引っ張り動作間の時間間隔の頻度、
ｘｉ）引っ張り動作の長さの頻度、
ｘｉｉ）各引っ張り動作の日付及び対応する時刻、及び
ｘｉｉｉ）特定の時刻に分配された製品の総量、
のうちの少なくとも１つを含む前記データから一組のパラメータ又は値を前記第１のマイクロプロセッサにより計算する段階と、
を含むことを特徴とする方法。
【請求項２】
１つ又はそれ以上の引っ張り動作のイベントにおけるロールから引かれた製品の量を表すデータを収集する方法であって、
（ａ）製品ロールに作動可能に結合されたデータ取得装置を準備する段階と、
（ｂ）少なくとも複数の引っ張り動作のイベントにおいて複数のロールから引かれた製品の量を含むデータを、前記データ取得装置を用いて蓄積する段階と、
（ｃ）第１のマイクロプロセッサを準備する段階と、
（ｄ）前記データ取得装置から前記第１のマイクロプロセッサへの電子リンクを準備する段階と、
（ｅ）前記データを検証する段階と、
（ｆ）前記データを前記データ取得装置からデータを操作することができる第１のマイクロプロセッサへ転送する段階と、
（ｇ）前記ロールから引かれた前記製品の量と、前記量が引かれた対応する時刻とを表す値を計算する段階と、
（ｈ）前記データを表す信号を受信装置へ送信する段階と、
を含むことを特徴とする方法。
【請求項３】
前記受信装置は、可聴音を作る装置であることを特徴とする請求項２に記載の方法。
【請求項４】
前記受信装置は、可視信号を作る装置であることを特徴とする請求項２に記載の方法。
【請求項５】
製品は、「製品コード」読取装置を用いて自動的に識別されることを特徴とする請求項２に記載の方法。
【請求項６】
前記データは、確認ルーチンを介して前記取得データ装置を検査することによって検証されることを特徴とする請求項２に記載の方法。
【請求項７】
前記信号は、無線手段により送信されることを特徴とする請求項２に記載の方法。
【請求項８】
前記信号は、電話により送信されることを特徴とする請求項２に記載の方法。
【請求項９】
前記受信装置は、第２のマイクロプロセッサであることを特徴とする請求項２に記載の方法。
【請求項１０】
前記受信装置は、第２のマイクロプロセッサを有するコンピュータであることを特徴とする請求項２に記載の方法。
【請求項１１】
前記受信装置は、ロール流通センターにおけるコンピュータであることを特徴とする請求項２に記載の方法。
【請求項１２】
前記受信装置は、利用可能になったロールの供給を調整することができることを特徴とする請求項２に記載の方法。
【請求項１３】
一連の分配イベントにおいて製品ロールから引かれた製品の量に関連するデータを収集して伝送する方法であって、
（ａ）製品ロールに作動可能に結合されたスピンドルアセンブリを準備する段階と、
（ｂ）少なくとも前記ロールから引かれた製品の量を対応する日付及び時刻と共に含むデータを、前記スピンドルアセンブリ内に蓄積する段階と、
（ｃ）前記スピンドルアセンブリから受信装置への電子リンクを準備する段階と、
（ｄ）部分的に前記データを含む信号を前記スピンドルアセンブリから前記受信装置へ伝送する段階と、
を含むことを特徴とする方法。
【請求項１４】
前記受信装置は、可聴音を作る装置であることを特徴とする請求項１３に記載の方法。
【請求項１５】
前記受信装置は、可視信号を作る装置であることを特徴とする請求項１３に記載の方法。
【請求項１６】
前記受信装置は、前記データをメモリに記録する装置であることを特徴とする請求項１３に記載の方法。
【請求項１７】
複数のデータセットを提供する複数の製品ロールが用いられることを特徴とする請求項１３に記載の方法。
【請求項１８】
前記信号は、無線手段により送信されることを特徴とする請求項１３に記載の方法。
【請求項１９】
前記信号は、電話により送信されることを特徴とする請求項１３に記載の方法。
【請求項２０】
前記受信装置は、第２のマイクロプロセッサであることを特徴とする請求項１３に記載の方法。
【請求項２１】
前記受信装置は、第２のマイクロプロセッサを有するコンピュータであることを特徴とする請求項１３に記載の方法。
【請求項２２】
前記受信装置は、ロール流通センターにおけるコンピュータであることを特徴とする請求項１３に記載の方法。
【請求項２３】
前記受信装置は、前記スピンドルアセンブリに対して利用可能になったロールの供給を調整することができることを特徴とする請求項１３に記載の方法。
【請求項２４】
前記製品は、シート材料であることを特徴とする請求項１３に記載の方法。
【請求項２５】
前記製品は、トイレットティッシュであることを特徴とする請求項１３に記載の方法。
【請求項２６】
前記製品は、紙タオルであることを特徴とする請求項２４に記載の方法。
【請求項２７】
前記データは、１回の引っ張り動作イベント当たりに使用されたユニットの量、引っ張り動作イベント間の時間間隔、１イベント当たりの引っ張り動作数、１回の引っ張り動作当たりのロール数、１日当たりに分配されたシート数、及び前記ロール上のシート材料の位置を含むパラメータの群から選択された少なくとも１つのパラメータを表す値を含むことを特徴とする請求項１３に記載の方法。
【請求項２８】
請求項１に記載の方法であって、
前記データから前記ロールの消耗された長さを計算し、
前記第１のマイクロプロッサで、前記ロールに残余している、巻かれた状態の材料の量を計算し、
前記利用可能なロール材料の量を所定のしきい値と比較し、
この比較結果を受信装置に通知するための信号を送信する、
段階からなる方法。
【請求項２９】
前記受信装置は、前記ロールから取り出された製品の在庫を補充すべき時を知らさるように構成されていることを特徴とする請求項２８に記載の方法。
【請求項３０】
前記受信装置は、可聴音を作る装置であることを特徴とする請求項２８に記載の方法。
【請求項３１】
前記受信装置は、可視信号を作る装置であることを特徴とする請求項２８に記載の方法。
【請求項３２】
前記受信装置は、前記データをメモリに記録する装置であることを特徴とする請求項２８に記載の方法。
【請求項３３】
前記受信装置は、遠隔位置にあることを特徴とする請求項２８に記載の方法。
【請求項３４】
前記信号は、無線手段により送信されることを特徴とする請求項２８に記載の方法。
【請求項３５】
前記信号は、電話により送信されることを特徴とする請求項２８に記載の方法。
【請求項３６】
製品は、製品コード読取装置を用いて自動的に識別されることを特徴とする請求項２８に記載の方法。
【請求項３７】
前記受信装置は、第２のマイクロプロセッサを有するコンピュータであることを特徴とする請求項２８に記載の方法。
【請求項３８】
前記受信装置は、ロール流通センターにおけるコンピュータであることを特徴とする請求項２８に記載の方法。
【請求項３９】
前記製品はシート材料であることを特徴とする請求項２８に記載の方法。
【請求項４０】
前記受信装置は、消費された製品の量に対して顧客に請求書を送ることができることを特徴とする請求項２８に記載の方法。
【請求項４１】
一連の分配イベントにおいて製品ロールから引かれた製品の量に関連するデータを収集して伝送する方法であって、
（ａ）製品ロールに作動可能に結合されたスピンドルアセンブリを準備する段階と、
（ｂ）少なくとも前記ロールから引かれた製品の量に対応する日付及び時刻と共に含むデータを、前記スピンドルアセンブリを用いて蓄積する段階と、
（ｃ）前記スピンドルアセンブリから受信装置への電子リンクを準備する段階と、
（ｄ）部分的に前記データを含む信号を前記スピンドルアセンブリから前記受信装置へ無線で送信する段階と、
を含むことを特徴とする方法。
【請求項４２】
前記受信装置はロール流通センターにおけるコンピュータであることを特徴とする請求項４１に記載の方法。
【請求項４３】
前記受信装置は、前記スピンドルアセンブリに対して利用可能になったロールの供給を調整できるものであることを特徴とする請求項４１に記載の方法。
【請求項４４】
前記確認ルーチンが確認されないときには、診断と修理のために前記スピンドルを取り除き、送出する段階を含むことを特徴とする請求項６に記載の方法。